(57)【要約】【課題】単語学習をより効果的に行うことが可能な単語学習装置を提供する。【解決手段】学習モード処理において、学習対象となる単語とその説明情報（意味）とを対応付けて記憶した単語帳リストデータ４２ｂから、ユーザ操作に応じて順次読み出される単語とその説明情報（意味）とを表示部に切り替え表示させて学習する。この際、ユーザにとって覚えにくい単語である場合に操作される［チェック］キーの操作に応じて、前記単語帳リストデータ４２ｂの該当単語に対応付けられるチェック回数が加算される。そして、スライドショー処理において、前記単語帳リストデータ４２ｂから順次自動選択されて読み出される各単語とその説明情報（意味）とを切り替え表示させる際には、当該単語毎にその単語に対応付けられた前記チェック回数に応じた長さの表示時間（ｔ）を設定して表示させる。【選択図】      図６
2015132740.tif 000002
【特許請求の範囲】
【請求項１】
出力対象である単語とその意味を対応付けて記憶している単語記憶手段と、
ユーザ操作に応じて前記単語記憶手段に記憶された単語と意味を個別に読み出して表示部に表示させる個別単語表示制御手段と、
この個別単語表示制御手段により前記単語記憶手段に記憶された単語と意味が個別に読み出されて表示された際のユーザ操作に応じて、表示中の単語に関してのユーザの習熟度を取得する習熟度取得手段と、
前記単語記憶手段に記憶された単語と意味を順次読み出し、当該読み出された単語に関して、前記習熟度取得手段により取得されたユーザの習熟度に応じた長さの時間で前記表示部に表示させる連続読み出し表示制御手段と、
を備えたことを特徴とする単語学習装置。
【請求項２】
前記習熟度取得手段は、前記個別単語表示制御手段による表示中の単語に関してユーザが習熟していない場合に操作されるチェックキーと、このチェックキーの操作回数を前記表示中の単語に対応付け記憶する回数記憶手段を有し、
前記連続読み出し表示制御手段は、前記単語記憶手段に記憶された単語と意味を順次読み出し、当該読み出された単語に関して、前記回数記憶手段により記憶された前記チェックキーの操作回数に応じた長さの時間で前記表示部に表示させる、
ことを特徴とする請求項１に記載の単語学習装置。
【請求項３】
単語とその意味を対応付けた辞書データを記憶している電子辞書と通信する通信手段と、
前記電子辞書により辞書検索された単語について当該単語の検索回数を前記通信手段により前記電子辞書から受信する検索回数受信手段とを備え、
前記連続読み出し表示制御手段は、前記単語記憶手段に記憶された単語と意味を順次読み出し、当該読み出された単語に関して、前記回数記憶手段により記憶された前記チェックキーの操作回数と前記検索回数受信手段により受信された検索回数に応じた長さの時間で前記表示部に表示させる、
ことを特徴とする請求項２に記載の単語学習装置。
【請求項４】
前記単語記憶手段は、前記電子辞書により単語とその意味を対応付けて生成された単語帳を受信する単語帳受信手段を有し、この単語帳受信手段により受信された単語帳を記憶している、
ことを特徴とする請求項１ないし請求項３の何れか１項に記載の単語学習装置。
【請求項５】
前記習熟度取得手段は、前記個別単語表示制御手段により前記単語記憶手段に記憶された単語と意味がユーザ操作に応じて個別に読み出されて表示された際に、次の単語を読み出すユーザ操作がされるまでの時間を記録する個別表示時間記録手段を有し、
前記連続読み出し表示制御手段は、前記単語記憶手段に記憶された単語と意味を順次読み出し、当該読み出された単語に関して、前記個別表示時間記録手段により記録された時間に応じた長さの時間で前記表示部に表示させる、
ことを特徴とする請求項１に記載の単語学習装置。
【請求項６】
記憶部と表示部を備えた電子機器のコンピュータを制御するためのプログラムであって、
前記コンピュータを、
出力対象である単語とその意味を対応付けて前記記憶部に記憶させる単語記憶制御手段、
ユーザ操作に応じて前記記憶部に記憶された単語と意味を個別に読み出して前記表示部に表示させる個別単語表示制御手段、
この個別単語表示制御手段により前記記憶部に記憶された単語と意味が個別に読み出されて表示された際のユーザ操作に応じて、表示中の単語に関してのユーザの習熟度を取得する習熟度取得手段、
前記記憶部に記憶された単語と意味を順次読み出し、当該読み出された単語に関して、前記習熟度取得手段により取得されたユーザの習熟度に応じた長さの時間で前記表示部に表示させる連続読み出し表示制御手段、
として機能させるためのコンピュータ読み込み可能なプログラム。
【発明の詳細な説明】
【技術分野】
【０００１】
本発明は、単語の学習に好適な単語学習装置およびその制御プログラムに関する。
【背景技術】
【０００２】
近年、紙の書籍の辞書に代わり、利便性や携帯性が良いことから電子辞書が多用されている。この電子辞書は、多様な辞書をデータベースとして備えるだけでなく、多機能化しており、その機能として履歴機能や単語帳機能がある。
【０００３】
前記履歴機能では、検索した単語（見出し語）を履歴データとして自動的に保存することで、その後において、ユーザが過去に調べた単語を前記履歴データから簡単に読み出して再確認できる。
【０００４】
また、前記単語帳機能では、覚えたい単語を単語帳データとして保存し、この単語帳データに保存された単語を、紙の単語帳のようにその単語と訳とで切り換えて表示することで、簡単に所望の単語を学習できる。
【０００５】
従来の電子辞書であって、前記単語帳機能と履歴（ヒストリ）機能を備えたものがある（例えば、特許文献１参照。）。
【０００６】
また、電子辞書と別体の携帯型表示装置に当該電子辞書から辞書のデータを取り込み、その携帯型表示装置によって、取り込んだ辞書のデータをユーザの手元で表示させたり、発音の音声をイヤホンから出力させたりすることで、携帯性良く単語を学習できる電子辞書装置も考えられている（例えば、特許文献２参照。）。
【０００７】
また、単語やその意味を順次その文字列のイメージデータとして取り込み、この取り込まれた各イメージデータを、ユーザ操作に応じて順番に読み出して表示させることで、簡単に所望の単語を学習できる自己テスト学習機も考えられている（例えば、特許文献３参照。）。
【先行技術文献】
【特許文献】
【０００８】
【特許文献１】特開２００５−２９２３０３号公報
【特許文献２】特開２００９−２６６０２４号公報
【特許文献３】特開平０８−８３０３９号公報
【発明の概要】
【発明が解決しようとする課題】
【０００９】
しかしながら、前記携帯型の表示装置において、電子データとして記憶した複数の単語とその意味を、単に順番に切り替えて出力させるだけでなく、単語学習をもっと効果的に行いたい要望がある。
【００１０】
本発明は、このような課題に鑑みなされたもので、単語学習をより効果的に行うことが可能になる単語学習装置およびその制御プログラムを提供することを目的とする。
【課題を解決するための手段】
【００１１】
本発明に係る単語学習装置は、出力対象である単語とその意味を対応付けて記憶している単語記憶手段と、ユーザ操作に応じて前記単語記憶手段に記憶された単語と意味を個別に読み出して表示部に表示させる個別単語表示制御手段と、この個別単語表示制御手段により前記単語記憶手段に記憶された単語と意味が個別に読み出されて表示された際のユーザ操作に応じて、表示中の単語に関してのユーザの習熟度を取得する習熟度取得手段と、前記単語記憶手段に記憶された単語と意味を順次読み出し、当該読み出された単語に関して、前記習熟度取得手段により取得されたユーザの習熟度に応じた長さの時間で前記表示部に表示させる連続読み出し表示制御手段と、を備えたことを特徴としている。
【発明の効果】
【００１２】
本発明によれば、単語学習をより効果的に行うことが可能になる。
【図面の簡単な説明】
【００１３】
【図１】本発明の単語学習装置の実施形態に係る電子単語帳３０を電子辞書１０に接続した状態での外観構成を示す図。
【図２】前記電子辞書１０の電子回路の構成を示すブロック図。
【図３】前記電子単語帳３０の電子回路の構成を示すブロック図。
【図４】前記電子辞書１０の辞書データベース２２ｂに記憶された英和辞典の内容を示す図。
【図５】前記電子辞書１０に記憶されたチェックリストデータ２２ｃの内容を示す図。
【図６】前記電子辞書１０に記憶された単語帳リストデータ２２ｄの内容を示す図。
【図７】前記電子辞書１０による辞書検索処理を示すフローチャート。
【図８】前記電子辞書１０による単語帳送信処理を示すフローチャート。
【図９】前記電子単語帳３０による第１実施形態の学習モード処理を示すフローチャート。
【図１０】前記電子単語帳３０による第１実施形態の学習モード処理に伴うユーザ操作に応じた表示動作を示す図。
【図１１】前記電子単語帳３０による第１実施形態のスライドショー処理を示すフローチャート。
【図１２】前記電子単語帳３０による第２実施形態の学習モード処理を示すフローチャート。
【図１３】前記電子単語帳３０による第２実施形態のスライドショー処理を示すフローチャート。
【発明を実施するための形態】
【００１４】
以下図面により本発明の実施の形態について説明する。
【００１５】
図１は、本発明の単語学習装置の実施形態に係る電子単語帳３０を電子辞書１０に接続した状態での外観構成を示す図である。
【００１６】
前記電子単語帳３０は前記電子辞書１０と相互に通信可能である。
【００１７】
前記電子辞書１０は、以下に説明する電子辞書専用の携帯機器として構成されるか、辞書機能を備えたタッチパネル式のＰＤＡ(personal digital assistants)、ＰＣ(personal computer)、携帯電話、電子ブック、携帯ゲーム機等として構成される。
【００１８】
前記電子辞書１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー、辞書指定キー、［決定］キー、［戻る］キー、［単語帳登録］キー１４ａなどを備えたキー入力部１４が備えられる。
【００１９】
また、前記蓋体ケース１２の表面には、そのほぼ全面にバックライト付きのタッチパネル式表示部１５が設けられる。
【００２０】
前記タッチパネル式表示部１５は、タッチ位置検出装置と表示装置が一体となった構造であり、バックライト付きカラー液晶表示画面に透明タッチパネルを重ねて構成される。
【００２１】
一方、前記電子単語帳３０は、以下に説明する電子単語帳専用の携帯機器として構成されるか、携帯電話、電子ブック、携帯ゲーム機等として構成される。
【００２２】
この電子単語帳３０は、例えばカードサイズの本体ケースを有し、その正面の左端に沿って縦長のキー入力部３１が備えられ、それ以外の領域に表示部３２が備えられる。
【００２３】
前記キー入力部３１には、前記表示部３２に表示される単語のデータを、次のデータに送る［進む］キー３１ａ、前のデータに戻す［戻る］キー３１ｂ、表示中の単語のデータのチェックボックスｂｃにチェックマークを書き込むための［チェック］キー３１ｃ、前記チェックボックスｂｃに書き込まれたチェックマークを消去するための［クリア］キー３１ｄが備えられる（図１０参照）。
【００２４】
なお、前記単語のデータとは、英和モードの場合は、英単語のデータとその日本語訳（意味）のデータであり、和英モードの場合は、日本語のデータとその英語訳（意味）のデータである。そして、前記次のデータとは、前記英和モードにおいて、英単語が表示されている場合はその日本語訳（意味）のデータとなり、同日本語訳（意味）が表示されている場合は次の英単語のデータとなる。前記前のデータとはその逆となる。
【００２５】
また、前記チェックボックスｂｃに対するチェックマークは、例えば該当する単語をユーザが覚えていないことをユーザが確認するために当該ユーザ自身の操作によって書き込まれる。
【００２６】
図２は、前記電子辞書１０の電子回路の構成を示すブロック図である。
【００２７】
図３は、前記電子単語帳３０の電子回路の構成を示すブロック図である。
【００２８】
前記電子辞書１０の電子回路は、各種の記録媒体に記録されたプログラムを読み込んで、その読み込んだプログラムによって動作が制御されるコンピュータによって構成され、その電子回路には、ＣＰＵ(central processing unit)２１が備えられる。
【００２９】
このＣＰＵ２１は、記憶装置２２内に予め記憶された辞書制御プログラム２２ａ、あるいはＲＯＭカードなどの外部記録媒体２３から記録媒体読み取り部２４を介して前記記憶装置２２に読み込まれた辞書制御プログラム２２ａ、あるいはインターネットＮ上のＷｅｂサーバ（この場合はプログラムサーバ）５０から通信部２５を介して前記記憶装置２２に読み込まれた辞書制御プログラム２２ａに応じて、ＲＡＭ２６を作業用メモリとして回路各部の動作を制御する。
【００３０】
前記記憶装置２２に記憶された辞書制御プログラム２２ａは、前記キー入力部１４、タッチパネル式表示部１５からのユーザ操作に応じた入力信号、あるいは前記通信部２５を介して接続されるインターネットＮ上の各Ｗｅｂサーバ５０…や前記電子単語帳３０との通信信号に応じて起動される。
【００３１】
このように、前記ＣＰＵ２１には、前記記憶装置２２、記録媒体読み取り部２４、通信部２５、ＲＡＭ２６、キー入力部１４、タッチパネル式表示部１５が接続される。
【００３２】
前記記憶装置２２には、前記辞書制御プログラム２２ａとして、当該電子辞書１０の全体の動作を司るシステムプログラム、通信部２５を介してインターネットＮ上の各Ｗｅｂサーバ５０…や図示しないユーザＰＣ(Personal Computer)、前記電子単語帳３０などとデータ通信するための通信プログラム等が記憶される。また、前記辞書制御プログラム２２ａとして、検索語入力処理、検索語に対応した見出し語検索処理、検索見出し語のプレビュー付き一覧表示処理、選択された見出し語に対応する語義・用例・解説などの各種説明情報の読み出し表示処理、検索されて表示された見出し語（単語）にその見出し語が再表示された回数（チェック回数）を対応付けて記憶したリスト（チェックリスト）を生成する処理、選択された単語のリスト（単語帳リスト）を生成し前記電子単語帳３０に送信する処理など、同記憶装置２２内の辞書データベース２２ｂ、チェックリストデータ２２ｃ、単語帳リストデータ２２ｄに基づく検索・読み出し・表示・リスト生成・送信処理全般を制御するための辞書検索プログラムが記憶される。
【００３３】
前記辞書データベース２２ｂには、例えば、国語辞典、英和辞典、和英辞典、英英辞典、百科事典等の各種の辞書が記憶される。
【００３４】
図４は、前記電子辞書１０の辞書データベース２２ｂに記憶された英和辞典の内容を示す図である。
【００３５】
この英和辞典の辞書データとしては、アルファベット順にした各英単語の見出し語とその日本語の意味などからなる説明情報がその発音の音声データと共に記憶される。
【００３６】
なお、前記英和辞典以外の各種の辞書データも、基本的には当該英和辞典と同様に、各見出し語とその説明情報が対応付けられたデータ構造として記憶される。
【００３７】
図５は、前記電子辞書１０に記憶されたチェックリストデータ２２ｃの内容を示す図である。
【００３８】
このチェックリストデータ２２ｃは、本電子辞書１０の辞書検索機能により実際に検索され、対応する説明情報が表示された見出し語（単語）が、検索対象となった辞書毎に順次蓄積されて記憶されるもので、当該各見出し語（単語）には、その見出し語が再検索されて表示された回数（チェック回数）が対応付けられて記憶される。
【００３９】
図６は、前記電子辞書１０に記憶された単語帳リストデータ２２ｄの内容を示す図である。
【００４０】
この単語帳リストデータ２２ｄは、前記辞書データベース２２ｂに記憶された辞書の見出し語のうち、ユーザが学習対象として選択操作した見出し語（単語）とその意味が、前記チェックリストデータ２２ｃに記憶された該当する見出し語（単語）のチェック回数を対応付けて記憶されるもので、当該見出し語の意味のデータは、前記辞書データベース２２ｂに記憶された詳細な意味のデータから用例や解説等を省いて主要な語義だけを抽出した簡略形式のデータとして記憶される。
【００４１】
なお、前記単語帳リストデータ２２ｄは、前記辞書データベース２２ｂに記憶された辞書の種類毎あるいはユーザ任意の分類別に生成される。
【００４２】
前記ＲＡＭ２６には、入力データメモリ２６ａ、表示データメモリ２６ｂなどが確保される。
【００４３】
前記入力データメモリ２６ａには、前記キー入力部１４、タッチパネル式表示部１５のユーザ操作に応じた個々の入力データが逐次記憶される。
【００４４】
前記表示データメモリ２６ｂには、前記タッチパネル式表示部１５の画面に表示させる表示データがビットマップパターンに展開されて記憶される。
【００４５】
そして、この電子辞書１０は、通常の辞書機能として、検索語の文字を１文字ずつ入力する毎に、当該入力された文字列と前方一致する見出し語（単語）を検索するインクリメンタルサーチ機能、このインクリメンタルサーチに伴い前記検索語と前方一致した一連の見出し語を一覧表示させる見出し語一覧表示機能、前記一覧表示された各見出し語（単語）のうちカーソルにより選択された見出し語に対応する説明情報を確認表示させるプレビュー表示機能、このプレビュー表示された見出し語の説明情報を全画面に展開して表示させる説明情報表示機能に加えて、この説明情報が展開表示された見出し語（単語）にその見出し語が再表示された回数（チェック回数）を対応付けて記憶した前記チェックリストデータ２２ｃを生成する機能、ユーザ任意に選択された単語とその説明情報（簡略形式）に前記チェックリストデータ２２ｃに記憶された該当単語のチェック回数を対応付けて登録した前記単語帳リストデータ２２ｄを生成する機能、そして、この単語帳リストデータ２２ｄを前記電子単語帳３０に送信する機能を有する。
【００４６】
このように構成された電子辞書１０は、前記ＣＰＵ２１が前記辞書制御プログラム２２ａ（検索語入力処理、見出し語検索処理、プレビュー付き見出し語一覧表示処理、選択見出し語の説明情報表示処理、前記チェックリストデータ２２ｃの生成処理、前記単語帳リストデータ２２ｄの生成・送信処理等を実行するためのプログラムを含む）に記述された命令に従い回路各部の動作を制御し、ソフトウエアとハードウエアとが協働して動作することにより、後述の動作説明で述べる機能を実現する。
【００４７】
一方、前記電子単語帳３０の電子回路は、図３に示すように、プログラムによって動作が制御されるコンピュータによって構成され、その電子回路には、ＣＰＵ４１が備えられる。
【００４８】
このＣＰＵ４１は、記憶装置４２内に予め記憶された単語帳制御プログラム４２ａに応じて、ＲＡＭ４４を作業用メモリとして回路各部の動作を制御する。なお、前記単語帳制御プログラム４２ａは、本電子単語帳３０に前記電子辞書１０以外と通信可能な外部インターフェースを備えさせた場合には、ＲＯＭカードなどの外部記録媒体やインターネットＮ上のＷｅｂサーバ（この場合はプログラムサーバ）５０から前記記憶装置４２に読み込むようにすることができる。
【００４９】
前記記憶装置４２に記憶された単語帳制御プログラム４２ａは、前記キー入力部３１からのユーザ操作に応じた入力信号、あるいは前記通信部４３を介して接続される前記電子辞書１０との通信信号に応じて起動される。
【００５０】
このように、前記ＣＰＵ４１には、前記記憶装置４２、通信部４３、ＲＡＭ４４、キー入力部３１、表示部３２、音声出力部４５（イヤホン４５ｅ）が接続される。
【００５１】
前記記憶装置４２には、前記単語帳制御プログラム４２ａとして、当該電子単語帳３０の全体の動作を司るシステムプログラム、前記通信部４３を介して前記電子辞書１０とデータ通信するための通信プログラム等が記憶される。また、前記単語帳制御プログラム４２ａとして、前記電子辞書１０との通信接続に伴い、当該電子辞書１０から送信された単語帳リストデータ２２ｄ（図６参照）を受信して前記記憶装置４２に記憶させるためのデータ受信処理、前記記憶装置４２に記憶された単語帳リストデータ４２ｂ（２２ｄ）にある各単語のデータをユーザ操作に応じてランダムあるいは順番に表示させると共に前記［チェック］キー３１ｃの操作に応じてチェック回数の付加を行う単語帳学習処理、前記単語帳リストデータ４２ｂにある各単語のデータを自動でランダムあるいは順番に当該単語に対応付けられたチェック回数に応じた長さの表示時間により表示させる単語帳スライドショー処理など、同記憶装置４２内の単語帳リストデータ４２ｂに基づく表示処理全般を制御するためのデータ処理プログラムが記憶される。
【００５２】
前記単語帳リストデータ４２ｂ（図６参照）としては、前記電子辞書１０から送信された単語帳リストデータ２２ｄが各単語に対応付けられたチェック回数と共に記憶される。
【００５３】
前記ＲＡＭ４４には、前記表示部３２に表示させるべき表示データが記憶される表示データメモリ４４ａなどが確保される。
【００５４】
このように構成された電子単語帳３０は、前記ＣＰＵ４１が前記単語帳制御プログラム４２ａ（データ受信処理、単語帳学習処理、単語帳スライドショー処理等を実行するためのプログラムを含む）に記述された命令に従い回路各部の動作を制御し、ソフトウエアとハードウエアとが協働して動作することにより、以下の動作説明で述べる機能を実現する。
【００５５】
次に、前記構成の電子辞書１０および電子単語帳３０の動作について説明する。
【００５６】
図７は、前記電子辞書１０による辞書検索処理を示すフローチャートである。
【００５７】
前記電子辞書１０において、その辞書データベース２２ｂに記憶されている各種の辞書データの中からユーザ操作に応じて任意の辞書（例えば英和辞典）が指定され、ユーザが調べたい検索語が入力されてタッチパネル式表示部１５に表示されると（ステップＳ１）、入力された検索語と前方一致する見出し語（単語）が前記英和辞書から読み出され検索候補として前記表示部１５に一覧表示される（ステップＳ２）。
【００５８】
この一覧表示された検索候補の見出し語の中からユーザ操作に応じて任意の見出し語が選択されると（ステップＳ３（Ｙｅｓ））、当該選択された見出し語（単語）に対応する説明情報が前記英和辞書から読み出され前記表示部１５の全画面に展開されて表示される（ステップＳ４）。
【００５９】
すると、今回辞書検索されて表示された見出し語（単語）が過去に検索されたことがなく、新規に検索された単語であるか否かが判断される（ステップＳ５）。そして、新規の検索であると判断された場合は（ステップＳ５（Ｙｅｓ））、当該新規検索された単語がチェックリストデータ２２ｃ（図５参照）に追加で記憶される（ステップＳ６ａ）。この際、前記チェックリストデータ２２ｃにおいて、前記新規検索された単語に対応付けされるチェック回数は“０”に設定される。
【００６０】
一方、今回辞書検索されて表示された見出し語（単語）が新規の検索ではなく再検索されて表示された単語であると判断された場合は（ステップＳ５（Ｎｏ））、前記チェックリストデータ２２ｃに記憶された該当単語のチェック回数が１つ加算される（ステップＳ６ｂ）。
【００６１】
前記チェックリストデータ２２ｃを生成することにより、ユーザ操作に応じて検索された単語毎に、その単語を２回以上調べた回数が記録されることになり、ユーザにとって覚えにくい単語であることの度合いの判定に利用することができる。
【００６２】
図８は、前記電子辞書１０による単語帳送信処理を示すフローチャートである。
【００６３】
この単語帳送信処理では、前記電子単語帳３０において学習対象としたい単語のリストを前記単語帳リストデータ２２ｄ（図６参照）として生成し電子単語帳３０に送信する。
【００６４】
この単語帳送信処理は、［単語帳登録］キー１４ａの操作に応じて起動されるもので、前記辞書データベース２２ｂに記憶されている任意の辞書の中からユーザが学習対象としたい単語を選択すると（ステップＴ１（Ｙｅｓ））、選択された単語とその説明情報（意味）が単語帳リストデータ２２ｄに追加されて記憶される（ステップＴ２）。
【００６５】
この際、前記単語帳リストデータ２２ｄに記憶される単語の説明情報（意味）は、前記辞書データベース２２ｂから読み出された詳細な説明情報から用例や解説等を省いて主要な語義だけを抽出した簡略形式の説明情報として記憶される。
【００６６】
なお、前記単語の選択は、本電子辞書１０の表示部１５に表示される様々な画面から選択することが可能であり、例えば辞書検索の履歴表示で過去に検索した単語を一覧表示させ、この一覧表示の中から任意の単語を選択してもよいし、当該一覧表示された全ての単語を一括選択してもよい。
【００６７】
前記ユーザ操作に応じて選択された単語とその説明情報（意味）が前記単語帳リストデータ２２ｄに追加されて記憶されると（ステップＴ２）、当該単語が前記チェックリストデータ２２ｃの中に記憶されているか否か判断される（ステップＴ３）。
【００６８】
ここで、前記単語帳リストデータ２２ｄに追加された単語が前記チェックリストデータ２２ｃの中に記憶されていると判断された場合は（ステップＴ３（Ｙｅｓ））、当該チェックリストデータ２２ｃの該当単語に対応付けられて記憶されているチェック回数がそのまま付加されて記憶される（ステップＴ４ａ）。
【００６９】
また、前記単語帳リストデータ２２ｄに追加された単語が前記チェックリストデータ２２ｃの中に記憶されていないと判断された場合は（ステップＴ３（Ｎｏ））、当該単語に対応したチェック回数が“０”に設定されて記憶される（ステップＴ４ｂ）。
【００７０】
この後前記同様に、ユーザ任意に選択された単語とその説明情報（意味）がそのチェック回数のデータと共に前記単語帳リストデータ２２ｄに順次記憶され、ユーザ操作に応じて選択終了と判断されると（ステップＴ５（Ｙｅｓ））、当該単語帳リストデータ２２ｄが通信部２５を介して前記電子単語帳３０へ送信されその記憶装置４２に記憶される（ステップＴ６）。
【００７１】
図９は、前記電子単語帳３０による第１実施形態の学習モード処理を示すフローチャートである。
【００７２】
図１０は、前記電子単語帳３０による第１実施形態の学習モード処理に伴うユーザ操作に応じた表示動作を示す図である。
【００７３】
前記電子単語帳３０の動作モードがユーザ操作に応じて学習モードに設定されると、「
英和モード」か「和英モード」をユーザに選択させるための選択メニューが表示部３２に表示される（ステップＰ１）。
【００７４】
ここでは、前記表示部３２に表示された選択メニューにおいて、「英和モード」が選択された場合の具体例について説明する。なお、「和英モード」が選択された場合の和英モード処理（ステップＰＸ）でも、以下の動作説明と同様に動作する。
【００７５】
前記「英和モード」が選択されると（ステップＰ２）、前記電子辞書１０から受信され記憶装置４２に記憶された単語帳リストデータ４２ｂからランダムに英単語が選択され、選択された単語が表示部３２に表示される（ステップＰ３）。図１０（Ａ）は、英単語“wine”が選択され表示部３２に表示された状態を示している。
【００７６】
この英単語“wine”の表示状態で、ユーザは、その日本語の意味を分かった場合には［進む］キー３１ａを操作し、意味を分からなかった場合には［チェック］キー３１ｃを操作する。［進む］キー３１ａが操作されたと判断されると（ステップＰ５（Ｙｅｓ））、図１０（Ｂ１）に示すように、当該英単語“wine”の説明情報（意味）「ワイン…」が読み出され前記表示部３２に表示される（ステップＰ７）。
【００７７】
一方、［チェック］キー３１ｃが操作されたと判断されると（ステップＰ４（Ｙｅｓ））、図１０（Ｂ２）に示すように、チェックボックスｂｃにチェックマークが書き込まれ、前記単語帳リストデータ４２ｂの該当する英単語“wine”に対応付けられたチェック回数が加算される（ステップＰ６）。
【００７８】
そして、図１０（Ｃ）に示すように、前記英単語“wine”の説明情報（意味）「ワイン…」が読み出され前記表示部３２に表示される（ステップＰ７）。
【００７９】
また、前記図１０（Ｂ１）で示したように、［進む］キー３１ａの操作に応じて表示部３２に表示された英単語“wine”の説明情報（意味）「ワイン…」について（ステップＰ５（Ｙｅｓ）→Ｐ８）、例えばユーザの思っていた意味と異なっていた場合には、ユーザは［チェック］キー３１ｃを操作する。ここで［チェック］キー３１ｃが操作されたと判断されると（ステップＰ８（Ｙｅｓ））、図１０（Ｃ）に示すように、チェックボックスｂｃにチェックマークが書き込まれ、前記単語帳リストデータ４２ｂの該当する英単語“wine”に対応付けられたチェック回数が加算される（ステップＰ１０）。
【００８０】
そして、［進む］キー３１ａが操作されたと判断されると（ステップＰ９（Ｙｅｓ））、前記単語帳リストデータ４２ｂｂからランダムに読み出された次の英単語が前記表示部３２に表示され（ステップＰ３）、前記同様の処理が繰り返される（ステップＰ４〜Ｐ１０）。
【００８１】
このように、前記単語帳リストデータ４２ｂに記憶された各英単語とその説明情報（意味）を順次表示させて確認しながらその英単語が分からなかった場合に［チェック］キー３１ｃを操作することで、当該単語帳リストデータ４２ｂの該当単語に対応付けられたチェック回数を加算し、このチェック回数をユーザにとって覚えにくい単語であることの度合いとすることができる。
【００８２】
すなわち、前記チェック回数が多い単語はその回数が多いほど、当該単語に対するユーザの習熟度が低いことになる。
【００８３】
なお、前記図９を参照して説明した学習モード処理では、前記単語帳リストデータ４２ｂに記憶された各英単語をランダムに読み出して表示させる構成としたが、所定の順番で読み出して表示させる構成としてもよい。
【００８４】
図１１は、前記電子単語帳３０による第１実施形態のスライドショー処理を示すフローチャートである。なお、スライドショーとは、単語帳リストデータ４２ｂに記憶されている単語とその意味が、［進む］キー３１ａの操作がなくても自動的に順次表示される処理である。
【００８５】
ここでは、前記「英和モード」が選択された場合のスライドショー処理の具体例について説明するが、「和英モード」が選択された場合のスライドショー処理でも、以下の動作説明と同様に動作する。
【００８６】
まず、前記単語帳リストデータ４２ｂ（図６参照）に記憶されている各英単語のチェック回数が取得される（ステップＱ１）。この際、当該単語帳リストデータ４２ｂが、前記電子辞書１０から受信された時点のチェック回数とその後の［チェック］キー３１ｃの操作に応じたチェック回数とを分けて記憶している場合は、そのチェック回数の合計が各英単語のチェック回数として取得される（ステップＱ１）。
【００８７】
そして、前記取得された各英単語のチェック回数から全単語の平均チェック回数が算出される（ステップＱ２）。
【００８８】
すると、前記単語帳リストデータ４２ｂに記憶されている各英単語の中からランダムに英単語が選択され（ステップＱ３）、この選択された英単語のチェック回数に応じた次式に従い、当該英単語の表示時間（ｔ）が算出される（ステップＱ４）。
【００８９】
表示時間（ｔ）＝（基準時間（３ｓ））×（チェック回数）÷（平均チェック回数）
この選択された英単語の表示時間（ｔ）は、当該英単語のチェック回数が、平均チェック回数より少ない場合は短めに、多い場合は長めに設定される。
【００９０】
そして、前記単語帳リストデータ４２ｂから選択された英単語が前記表示部３２に対して前記算出された表示時間（ｔ）で表示され（ステップＱ５）、この後当該英単語の簡略形式の説明情報（意味）が読み出され所定時間表示される（ステップＱ６）。
【００９１】
するとまた、前記単語帳リストデータ４２ｂからの英単語の選択処理（ステップＱ３）、選択された英単語のチェック回数に応じた表示時間（ｔ）の算出処理（ステップＱ４）、算出された表示時間（ｔ）による前記英単語の表示処理（ステップＱ５）、同英単語の説明情報（意味）の所定時間の表示処理（ステップＱ６）がスライドショー形式に繰り返される。
【００９２】
そして、ユーザ操作により終了の指示がなされたと判断されると（ステップＱ７（Ｙｅｓ））、前記単語帳リストデータ４２ｂに基づいた一連のスライドショー処理が終了される。
【００９３】
なお、前記単語帳リストデータ４２ｂから選択された英単語の表示時間（ｔ）を算出する方法は、前記式による算出方法に限らず、前記チェック回数が多いほど長い表示時間（ｔ）となる算出方法であればよい。
【００９４】
したがって、前記構成の電子単語帳３０によれば、学習モード処理において、学習対象となる単語とその説明情報（意味）とを対応付けて記憶した単語帳リストデータ４２ｂから、ユーザ操作に応じて順次読み出される単語とその説明情報（意味）とを表示部３２に切り替え表示させて学習する。この際、ユーザにとって覚えにくい単語である場合に操作される［チェック］キー３１ｃの操作に応じて、前記単語帳リストデータ４２ｂの該当単語に対応付けられるチェック回数が加算される。そして、スライドショー処理において、前記単語帳リストデータ４２ｂから順次自動選択されて読み出される各単語とその説明情報（意味）とを切り替え表示させる際には、当該単語毎にその単語に対応付けられた前記チェック回数に応じた長さの表示時間（ｔ）を設定して表示させる。
【００９５】
このため、前記単語帳リストデータ４２ｂに記憶された各単語とその説明情報（意味）とをスライドショー形式で順次切り替え表示させる際には、ユーザにとって覚えにくい単語であるほど長い表示時間（ｔ）で表示されるので、単語学習をより効果的に行うことが可能になる。
【００９６】
また、前記構成の電子単語帳３０によれば、前記単語帳リストデータ４２ｂは、前記電子辞書１０において、ユーザ操作に応じて選択された単語とその説明情報（意味）に当該単語が２回以上辞書検索されて表示された回数（チェック回数）を対応付けて生成され、前記電子単語帳３０は前記電子辞書１０にて生成された単語帳リストデータ４２ｂを受信して記憶する。そして、前記学習モード処理において、ユーザが覚えにくい単語に対しては、前記［チェック］キー３１ｃの操作に応じて該当単語に対応付けられたチェック回数が加算される。
【００９７】
このため、前記電子単語帳３０におけるスライドショー処理では、前記電子辞書１０にて繰り返し辞書検索された回数も、ユーザが覚えにくい単語である度合いとして含まれ、前記学習モード処理でのチェック回数と合わせて該当単語の表示時間（ｔ）を設定できる。
【００９８】
なお、前記電子単語帳３０における第１実施形態の学習モード処理では、ユーザ操作に応じて順次切り替え表示される単語とその説明情報（意味）との表示中に［チェック］キー３１ｃが操作されると、該当単語に対応付けられたチェック回数を加算し、スライドショー処理では、前記チャック回数をユーザが覚えにくい単語の度合いとしてその回数に応じた同単語の表示時間（ｔ）を設定する構成とした。
【００９９】
これに対し、次の第２実施形態で説明するように、学習モード処理では、ユーザ操作に応じて選択表示された単語のデータについて、次のデータに進めるための［進む］キー３１ａがなかなか操作されない場合は、当該単語がユーザにとって覚えにくい単語であると推定し、同単語が表示されてから前記［進む］キー３１ａが操作されるまでの時間を同単語に対応付けて記録する。そして、スライドショー処理では、順次自動で切り替え表示される単語のデータの表示時間（ｔ）を、前記学習モード処理にて記録された該当単語の表示時間に応じた長さに設定し、単語学習をより効果的に行う構成としてもよい。
【０１００】
図１２は、前記電子単語帳３０による第２実施形態の学習モード処理を示すフローチャートである。
【０１０１】
ここでは、前記「英和モード」が選択された場合の具体例について説明するが、「和英モード」が選択された場合でも、以下の動作説明と同様に動作する。
【０１０２】
この学習モード処理が起動されると、先ず、前記単語帳リストデータ４２ｂからランダムに選択された英単語が読み出され表示部３２に表示される（ステップＰ２１）。
【０１０３】
そして、［進む］キー３１ａが操作されると（ステップＰ２２（Ｙｅｓ））、当該英単語を表示していた時間の長さが同単語に対応付けられて記録され（ステップＰ２３）、同単語の説明情報（意味）が前記単語帳リストデータ４２ｂから読み出されて表示される（ステップＰ２４）。
【０１０４】
この後、前記［進む］キー３１ａが操作されると（ステップＰ２５）、前記単語帳リストデータ４２ｂから次の英単語がランダムに選択されて表示される（ステップＰ２１）。
【０１０５】
そして、ユーザ操作に応じて終了の指示がなされると（ステップＰ２６（Ｙｅｓ））、前記第２実施形態の学習モード処理は終了される。
【０１０６】
なお、前記選択表示された英単語に対応付けられて記録される当該英単語を表示していた時間の長さは、過去に同英単語が選択表示された際の時間の長さが記録されていれば、その平均時間として記録してもよい。
【０１０７】
図１３は、前記電子単語帳３０による第２実施形態のスライドショー処理を示すフローチャートである。
【０１０８】
このスライドショー処理が起動されると、先ず、前記単語帳リストデータ４２ｂからランダムに英単語が選択され（ステップＱ２１）、この選択された英単語に対応付けられて記録された前記学習モード処理での表示の時間の長さに応じて同英単語の表示時間（ｔ）が算出される（ステップＱ２２）。
【０１０９】
すると、前記選択された英単語が前記算出された表示時間（ｔ）で表示された後（ステップＱ２３）、同英単語の説明情報（意味）が前記単語帳リストデータ４２ｂから読み出され所定時間表示される（ステップＱ２４）。
【０１１０】
すると再び、前記単語帳リストデータ４２ｂから次の英単語がランダムに選択され（ステップＱ２１）、前記同様に、当該選択された英単語に対応付けられて記録された前記学習モード処理での表示の時間の長さに応じて同英単語の表示時間（ｔ）が算出され（ステップＱ２２）、同英単語が表示される（ステップＱ２３）。
【０１１１】
そして、ユーザ操作により終了の指示がなされたと判断されると（ステップＱ２５（Ｙｅｓ））、前記第２実施形態のスライドショー処理は終了される。
【０１１２】
したがって、前記構成の電子単語帳３０による第２実施形態のスライドショー処理によっても、ユーザにとって覚えにくい単語であるほど長い表示時間（ｔ）で表示されるので、単語学習をより効果的に行うことが可能になる。
【０１１３】
なお、前記電子単語帳３０による各実施形態のスライドショー処理では、ユーザが覚えにくい英単語であることの度合いに応じて当該英単語の表示時間（ｔ）を制御し、同英単語の説明情報（意味）は所定時間表示する構成としたが、これとは逆に、前記英単語を所定時間表示し、その説明情報（意味）の表示時間（ｔ）を制御する構成としてもよい。あるいは当該英単語とその説明情報（意味）の何れの表示時間（ｔ）も制御する構成としてもよい。
【０１１４】
また、前記電子単語帳３０の第１実施形態のスライドショー処理では、前記式で示したように、前記単語帳リストデータ４２ｂから順次自動選択されて表示される各英単語の表示時間（ｔ）を、該当する英単語のチェック回数に応じた長さの時間を全英単語の平均チェック回数で除算して算出する構成とした。しかしながら、この表示時間（ｔ）の算出方法では、前記単語帳リストデータ４２ｂに新たに追加されて表示回数が少ない英単語と古くから記憶されて表示回数の多い英単語とで、例えユーザにとっての覚えにくさが同程度であっても、前者の英単語の方がチェック回数が少なく、短い表示時間（ｔ）として算出設定される。このため、前記学習モード処理では、前記単語帳リストデータ４２ｂから読み出されて表示された英単語の表示回数も記憶し、前記スライドショー処理では、該当する英単語のチェック回数をその表示回数で除算した記憶率を算出し、この記憶率に応じた長さの表示時間（ｔ）に設定することで、前記表示回数に差のある英単語であっても各英単語をその覚えにくさに応じた適切な表示時間（ｔ）で表示させることができる。
【０１１５】
なお、前記各実施形態において記載した電子辞書１０、電子単語帳３０による各処理の手法、すなわち、図７のフローチャートに示す前記電子辞書１０による辞書検索処理、図８のフローチャートに示す前記電子辞書１０による単語帳送信処理、図９のフローチャートに示す前記電子単語帳３０による第１実施形態の学習モード処理、図１１のフローチャートに示す前記電子単語帳３０による第１実施形態のスライドショー処理、図１２のフローチャートに示す前記電子単語帳３０による第２実施形態の学習モード処理、図１３のフローチャートに示す前記電子単語帳３０による第２実施形態のスライドショー処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録装置の媒体に格納して配布することができる。そして、表示部（１５）（３２）を備えた電子機器（１０）（３０）のコンピュータ（制御装置）は、この外部記憶装置の媒体に記憶されたプログラムを記憶装置に読み込み、この読み込んだプログラムによって動作が制御されることにより、前記各実施形態において説明した辞書検索機能、単語帳送信機能、学習モード機能、スライドショー機能を実現し、前述した手法による同様の処理を実行することができる。
【０１１６】
また、前記各手法を実現するためのプログラムのデータは、プログラムコードの形態として通信ネットワーク（Ｎ）上を伝送させることができ、この通信ネットワーク（Ｎ）に接続されたコンピュータ装置（プログラムサーバ）から前記プログラムのデータを、前記表示部（１５）（３２）を備えた電子機器（１０）（３０）に取り込んで記憶装置に記憶させ、前述した電子辞書１０や電子単語帳３０を実現することもできる。
【０１１７】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１１８】
以下に、本願出願の当初の特許請求の範囲に記載された発明を付記する。
【０１１９】
［１］
出力対象である単語とその意味を対応付けて記憶している単語記憶手段と、
ユーザ操作に応じて前記単語記憶手段に記憶された単語と意味を個別に読み出して表示部に表示させる個別単語表示制御手段と、
この個別単語表示制御手段により前記単語記憶手段に記憶された単語と意味が個別に読み出されて表示された際のユーザ操作に応じて、表示中の単語に関してのユーザの習熟度を取得する習熟度取得手段と、
前記単語記憶手段に記憶された単語と意味を順次読み出し、当該読み出された単語に関して、前記習熟度取得手段により取得されたユーザの習熟度に応じた長さの時間で前記表示部に表示させる連続読み出し表示制御手段と、
を備えたことを特徴とする単語学習装置。
【０１２０】
［２］
前記習熟度取得手段は、前記個別単語表示制御手段による表示中の単語に関してユーザが習熟していない場合に操作されるチェックキーと、このチェックキーの操作回数を前記表示中の単語に対応付け記憶する回数記憶手段を有し、
前記連続読み出し表示制御手段は、前記単語記憶手段に記憶された単語と意味を順次読み出し、当該読み出された単語に関して、前記回数記憶手段により記憶された前記チェックキーの操作回数に応じた長さの時間で前記表示部に表示させる、
ことを特徴とする［１］に記載の単語学習装置。
【０１２１】
［３］
単語とその意味を対応付けた辞書データを記憶している電子辞書と通信する通信手段と、
前記電子辞書により辞書検索された単語について当該単語の検索回数を前記通信手段により前記電子辞書から受信する検索回数受信手段とを備え、
前記連続読み出し表示制御手段は、前記単語記憶手段に記憶された単語と意味を順次読み出し、当該読み出された単語に関して、前記回数記憶手段により記憶された前記チェックキーの操作回数と前記検索回数受信手段により受信された検索回数に応じた長さの時間で前記表示部に表示させる、
ことを特徴とする［２］に記載の単語学習装置。
【０１２２】
［４］
前記単語記憶手段は、前記電子辞書により単語とその意味を対応付けて生成された単語帳を受信する単語帳受信手段を有し、この単語帳受信手段により受信された単語帳を記憶している、
ことを特徴とする［１］ないし［３］の何れかに記載の単語学習装置。
【０１２３】
［５］
前記習熟度取得手段は、前記個別単語表示制御手段により前記単語記憶手段に記憶された単語と意味がユーザ操作に応じて個別に読み出されて表示された際に、次の単語を読み出すユーザ操作がされるまでの時間を記録する個別表示時間記録手段を有し、
前記連続読み出し表示制御手段は、前記単語記憶手段に記憶された単語と意味を順次読み出し、当該読み出された単語に関して、前記個別表示時間記録手段により記録された時間に応じた長さの時間で前記表示部に表示させる、
ことを特徴とする［１］に記載の単語学習装置。
【０１２４】
［６］
記憶部と表示部を備えた電子機器のコンピュータを制御するためのプログラムであって、
前記コンピュータを、
出力対象である単語とその意味を対応付けて前記記憶部に記憶させる単語記憶制御手段、
ユーザ操作に応じて前記記憶部に記憶された単語と意味を個別に読み出して前記表示部に表示させる個別単語表示制御手段、
この個別単語表示制御手段により前記記憶部に記憶された単語と意味が個別に読み出されて表示された際のユーザ操作に応じて、表示中の単語に関してのユーザの習熟度を取得する習熟度取得手段、
前記記憶部に記憶された単語と意味を順次読み出し、当該読み出された単語に関して、前記習熟度取得手段により取得されたユーザの習熟度に応じた長さの時間で前記表示部に表示させる連続読み出し表示制御手段、
として機能させるためのコンピュータ読み込み可能なプログラム。
【符号の説明】
【０１２５】
１０  …電子辞書
１４  …キー入力部（辞書）
１４ａ…［単語帳登録］キー
１５  …タッチパネル式表示部
３０  …電子単語帳
３１  …キー入力部（単語帳）
３１ａ…［進む］キー
３１ｂ…［戻る］キー
３１ｃ…［チェック］キー
３１ｄ…［クリア］キー
２１，４１…ＣＰＵ
２２，４２…記憶装置
２２ａ…辞書制御プログラム
４２ａ…単語帳制御プログラム
２２ｂ…辞書データベース
２２ｃ…チェックリストデータ
２２ｄ（４２ｂ）…単語帳リストデータ
２３  …外部記録媒体
２４  …記録媒体読み取り部
２５，４３…通信部
２６，４４  …ＲＡＭ
５０  …Ｗｅｂサーバ
Ｎ    …通信ネットワーク
【図２】
2015132740.tif 000003
【図３】
2015132740.tif 000004
【図４】
2015132740.tif 000005
【図５】
2015132740.tif 000006
【図６】
2015132740.tif 000007
【図７】
2015132740.tif 000008
【図８】
2015132740.tif 000009
【図９】
2015132740.tif 000010
【図１０】
2015132740.tif 000011
【図１１】
2015132740.tif 000012
【図１２】
2015132740.tif 000013
【図１３】
2015132740.tif 000014
【図１】
2015132740.tif 000015